(57)【要約】【課題】キャニスタをパワーユニットルーム以外の場所に設置しつつその性能維持が可能な車両下部構造を提供することを目的とする。【解決手段】本発明の一実施の形態に係る車両下部構造１００は、車両のフロアパネル（客室を形成するメインフロアパネル１０２ａおよびその後方のリアフロアパネル１０２ｂ）と、メインフロアパネル１０２ａの前方に設置されるパワーユニット１０４と、リアフロアパネル１０２ｂの下側に設置される燃料タンク１０６と、メインフロアパネル１０２ａの上側に設置される二次電池１１０と、二次電池１１０の下方にメインフロアパネル１０２ａを隔てて設置されて燃料タンク１０６およびパワーユニット１０４に配管で繋がれるキャニスタ１１２とを備えることを特徴とする。【選択図】図２
2019147517.tif 000002
【特許請求の範囲】
【請求項１】
車両のフロアパネルと、
前記フロアパネルの前方に設置されるパワーユニットと、
前記フロアパネルの下側に設置される燃料タンクと、
前記フロアパネルのうち前記燃料タンクよりも前方の領域の上側に設置される二次電池と、
前記二次電池の下方に前記フロアパネルを隔てて設置されて前記燃料タンクおよびパワーユニットに配管で繋がれるキャニスタとを備えることを特徴とする車両下部構造。
【請求項２】
前記フロアパネルは、車幅方向中央に形成され上方へ膨出し前後方向に延びているセンタートンネルを有し、
当該車両下部構造はさらに、前記センタートンネルを通る排気管を備え、
前記キャニスタは、前記フロアパネルの側縁よりも前記センタートンネル寄りに設置されることを特徴とする請求項１に記載の車両下部構造。
【請求項３】
前記排気管は、前後方向の途中箇所に消音室を有していて、
前記キャニスタは、前記消音室の側方に設置されることを特徴とする請求項２に記載の車両下部構造。
【請求項４】
当該車両下部構造はさらに、前記キャニスタの下方にて前記フロアパネルを覆うアンダカバーを備えることを特徴とする請求項１から３のいずれか１項に記載の車両下部構造。
【請求項５】
前記キャニスタは、前記フロアパネルの下側のうち前記燃料タンクよりも前記パワーユニット寄りに設置されることを特徴とする請求項１から４のいずれか１項に記載の車両下部構造。
【発明の詳細な説明】
【技術分野】
【０００１】
本発明は、車両下部構造に関するものである。
【背景技術】
【０００２】
近年、車両に対して、衝突時の安全性能に関する要求が増々高くなっている。例えば、前面衝突の対策として、車両前部のパワーユニットルームにクラッシャブルゾーンと呼ばれる部位を設け、このクラッシャブルゾーンを積極的に変形させることで後方の客室の変形を抑える技術が開発されている。
【０００３】
上記のクラッシャブルゾーンの採用によって、特に寸法の小さな車両では、パワーユニットルーム内における部品の配置スペースが減りつつある。そのため、従来はパワーユニットルームに配置されていた部品であっても、現在では他の場所へ移動して配置される場合が増えてきている。
【０００４】
従来のパワーユニットルームに設けられていた部品の１つに、キャニスタがある。キャニスタは、燃料タンク等で発生する有害な燃料蒸発ガスを捕集する機器であって、主に円筒状や矩形状の容器に活性炭等の吸着材を内蔵した構造になっている。キャニスタは、燃料タンクおよびパワーユニットに配管で繋がれていて、燃料蒸発ガスをいったん吸着し、その燃料蒸発ガスをパワーユニットに引き込ませて燃料とともに燃焼させている。
【０００５】
キャニスタにおける燃料蒸発ガスの脱離性能は、キャニスタの温度が高いときのほうが向上する。そのため、車両によって、キャニスタの温度を維持する工夫が施されている。例えば、特許文献１では、シートの後方に設けられた二次電池に対し、その近傍であってフロアパネルの下側にキャニスタを配置して、キャニスタを二次電池の熱で温める技術が開示されている。
【先行技術文献】
【特許文献】
【０００６】
【特許文献１】特許第５０５６９５７号公報
【発明の概要】
【発明が解決しようとする課題】
【０００７】
特許文献１のようにキャニスタをフロアパネルの下側に設置する構成であれば、キャニスタをパワーユニットルームから問題なく移動させることが可能である。しかしながら、特許文献１では、キャニスタは車両の後方にて燃料タンクと共に設置されていて、車両前方のパワーユニットから離れた位置となる。キャニスタがパワーユニットから離れると、キャニスタとパワーユニットを繋ぐ配管が長くなって圧力損失が大きくなるため、キャニスタの性能に影響が出るおそれがあり、例えばキャニスタを大型化するなどの対応が必要になる場合がある。
【０００８】
本発明は、このような課題に鑑み、キャニスタをパワーユニットルーム以外の場所に設置しつつその性能維持が可能な車両下部構造を提供することを目的としている。
【課題を解決するための手段】
【０００９】
上記課題を解決するために、本発明にかかる車両下部構造の代表的な構成は、車両のフロアパネルと、フロアパネルの前方に設置されるパワーユニットと、フロアパネルの下側に設置される燃料タンクと、フロアパネルのうち燃料タンクよりも前方の領域の上側に設置される二次電池と、二次電池の下方にフロアパネルを隔てて設置されて燃料タンクおよびパワーユニットに配管で繋がれるキャニスタとを備えることを特徴とする。
【発明の効果】
【００１０】
本発明によれば、キャニスタをパワーユニットルーム以外の場所に設置しつつその性能維持が可能な車両下部構造を提供することが可能になる。
【図面の簡単な説明】
【００１１】
【図１】本発明の実施例にかかる車両下部構造の概要を示す図である。
【図２】図１の車両下部構造の概略的なＡ−Ａ断面図である。
【図３】図１の車両下部構造からアンダカバーを省略した図である。
【発明を実施するための形態】
【００１２】
本発明の一実施の形態に係る車両下部構造は、車両のフロアパネルと、フロアパネルの前方に設置されるパワーユニットと、フロアパネルの下側に設置される燃料タンクと、フロアパネルのうち燃料タンクよりも前方の領域の上側に設置される二次電池と、二次電池の下方にフロアパネルを隔てて設置されて燃料タンクおよびパワーユニットに配管で繋がれるキャニスタとを備えることを特徴とする。
【００１３】
上記構成によれば、二次電池の放射熱によってキャニスタを温めることができ、キャニスタの脱離性能を向上させることが可能になる。また、キャニスタを、従来のパワーユニットルームではなく、フロアパネルのうち燃料タンクより前方の領域、例えば客室の下方に配置することで、パワーユニットルーム内の空間に余裕を生じさせつつ、キャニスタをパワーユニットから遠ざけすぎないよう配慮している。この構成によって、キャニスタからパワーユニットへガスを引き込むときの圧力損失を抑え、キャニスタの性能維持を図ることができる。
【００１４】
上記のフロアパネルは、車幅方向中央に形成され上方へ膨出し前後方向に延びているセンタートンネルを有し、当該車両下部構造はさらに、センタートンネルを通る排気管を備え、キャニスタは、フロアパネルの側縁よりもセンタートンネル寄りに設置されてもよい。
【００１５】
上記構成によれば、排気管の放射熱も利用してキャニスタを温めることができ、キャニスタの脱離性能をさらに向上させることが可能になる。
【００１６】
上記の排気管は、前後方向の途中箇所に消音室を有していて、キャニスタは、消音室の側方に設置されてもよい。
【００１７】
上記構成によれば、排気管のうち特に消音室からの放射熱を利用して、キャニスタを効率よく温めることが可能になる。
【００１８】
当該車両下部構造はさらに、キャニスタの下方にてフロアパネルを覆うアンダカバーを備えてもよい。
【００１９】
上記のアンダカバーを備えることで、キャニスタを走行風から保護し、キャニスタの温度低下、ひいては脱離性能の低下を防ぐことが可能になる。また、走行中のキャニスタへの飛び石の衝突（チッピング）を防ぐことも可能になる。
【００２０】
上記のキャニスタは、フロアパネルの下側のうち燃料タンクよりもパワーユニット寄りに設置されてもよい。
【００２１】
上記構成によれば、キャニスタからパワーユニットへガスを引き込むときの圧力損失をより低減し、キャニスタの性能維持を図ることが可能になる。
【実施例】
【００２２】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
図１は、本発明の実施例にかかる車両下部構造１００の概要を示す図である。以下、図１その他の本願のすべての図面において、車両前後方向をそれぞれ矢印F(Forward)、B(Backward)、車幅方向の左右をそれぞれ矢印L(Leftward)、R(Rightward)、車両上下方向をそれぞれ矢印U(Upward)、D(Downward)で例示する。
【００２４】
車両下部構造１００は、車両の床を構成するフロアパネルとして、客室を形成する領域にメインフロアパネル１０２ａを備え、その後方の客室の後側から荷室にかけての範囲を形成する領域にリアフロアパネル１０２ｂを備えている。パワーユニット１０４は、エンジンや電気モータなどの動力を発生させる装置であって、メインフロアパネル１０２ａの前方に設置されている。パワーユニット１０４で使用する燃料は、リアフロアパネル１０２ｂの下側に設置された燃料タンク１０６に貯留されている。また、メインフロアパネル１０２ａの下方は、空気の整流および小石等からの保護を行うアンダカバー１０８で覆われている。
【００２５】
図２は、図１の車両下部構造１００の概略的なＡ−Ａ断面図である。図２に示すように、メインフロアパネル１０２ａの上側には二次電池１１０が設置されている。二次電池１１０は、例えば電装品に電気を供給する蓄電池として実施される。
【００２６】
キャニスタ１１２は、燃料タンク１０６等で発生する燃料蒸発ガスを、大気中に放出しないよう吸着し、パワーユニット１０４に引き込ませる機器である。キャニスタ１１２は、容器の内部に活性炭等の吸着材を充填させた構造になっていて、配管（図示省略）で燃料タンク１０６およびパワーユニット１０４と繋がれる。
【００２７】
当該車両下部構造１００では、キャニスタ１１２を、二次電池１１０の下方にメインフロアパネル１０２ａを隔てて設置している。キャニスタ１１２の吸着材からの燃料蒸発ガスの脱離性能は、温度が影響する。本実施例の構成によれば、キャニスタ１１２が、二次電池１１０に対してメインフロアパネル１０２ａを隔てて隣接して設けられているため、二次電池１１０からの放射熱によってキャニスタ１１２を温めることができ、キャニスタ１１２の脱離性能を向上させることが可能になる。
【００２８】
本実施例では、キャニスタ１１２を、従来のパワーユニットルームではなく、客室の下方に配置することで、パワーユニットルーム内の空間に余裕を生じさせつつ、キャニスタ１１２をパワーユニット１０４から遠ざけすぎないよう配慮している。これによって、キャニスタ１１２からパワーユニット１０４にガスを引き込むときの圧力損失を抑え、キャニスタ１１２の性能維持を図ることが可能になっている。また、本実施例であれば、パワーユニットルーム等の車両のレイアウトの自由度を向上させることができ、例えばクラッシャブルゾーンの拡大を図ることも可能になる。
【００２９】
上述したように、メインフロアパネル１０２ａの下方にはアンダカバー１０８が設けられていて、キャニスタ１１２は下方をアンダカバー１０８によって覆われている。この構成であれば、アンダカバー１０８によってキャニスタ１１２を走行風から保護し、キャニスタ１１２の温度低下、ひいては脱離性能の低下を防ぐことができる。また、アンダカバー１０８を利用することによって、専用のカバー等を設けずとも、走行中のキャニスタ１１２への飛び石の衝突（チッピング）を防ぐことができる。
【００３０】
図３は、図１の車両下部構造１００からアンダカバー１０８を省略した図である。メインフロアパネル１０２ａの車幅方向中央には、センタートンネル１１４が設けられている。センタートンネル１１４は、上方へ膨出したトンネル状の部位であり、車両の前後方向に延びて形成されている。センタートンネル１１４の内側には、パワーユニット１０４から延びる排気管１１６が通っている。排気管１１６は、前後方向の途中箇所に、ガスを排出する際の音を低減する消音室１１８を有している。
【００３１】
本実施例では、キャニスタ１１２は、車幅方向において、メインフロアパネル１０２ａの側縁のサイドシル１２０よりもセンタートンネル１１４寄りに設置されている。特にキャニスタ１１２は、消音室１１８の側方に位置するよう設置されている。この構成によれば、排気管１１６の放射熱、特に消音室１１８からの放射熱を利用してキャニスタ１１２を効率よく温めることができ、キャニスタ１１２の脱離性能をさらに向上させることができる。また、キャニスタ１１２を車幅方向中央寄りに配置することで、側面衝突等の衝撃からキャニスタ１１２を保護することが可能になる。
【００３２】
また、キャニスタ１１２は、車両前後方向において、後方の燃料タンク１０６よりも、前方のパワーユニット１０４寄りに設置されている。キャニスタ１１２をパワーユニット１０４寄りに配置することで、キャニスタ１１２からパワーユニット１０４へガスを引き込むときの圧力損失を低減し、キャニスタ１１２の性能維持を図ることが可能になる。
【００３３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３４】
本発明は、車両下部構造に利用することができる。
【符号の説明】
【００３５】
１００…車両下部構造、１０２ａ…メインフロアパネル、１０２ｂ…リアフロアパネル、１０４…パワーユニット、１０６…燃料タンク、１０８…アンダカバー、１１０…二次電池、１１２…キャニスタ、１１４…センタートンネル、１１６…排気管、１１８…消音室、１２０…サイドシル
【図１】
2019147517.tif 000003
【図２】
2019147517.tif 000004
【図３】
2019147517.tif 000005